(57)【要約】【課題】形成工程が簡単である上に、切れ跡がきれいであり、しかも安全性にも優れた破断構造を有するシートを提供する。【解決手段】本発明の破断構造付シートＳは、全切れ部分１と半切れ部分２が、同一ライン上に交互に連続して形成された破断構造を有する。全切れ部分１と半切れ部分２が交互に形成されたラインを境としてその両側に反対向きの力を加えると、半切れ部分２が次々と破断されてラインのところで分断されるので、切れ跡にギザギザが生じるようなことがなく、ラインに沿ってきれいに破断される。【選択図】図３
2009132398.tif 000002
【特許請求の範囲】
【請求項１】
全切れ部分と半切れ部分が、同一ライン上に交互に連続して形成された破断構造を有することを特徴とする破断構造付きシート。
【請求項２】
請求項１に記載の破断構造付きシートを用いて製造した箱であって、破断構造を開封手段に用いたことを特徴とする箱。
【発明の詳細な説明】
【技術分野】
【０００１】
本発明は、破断構造を有するシートに係り、詳しくは、分断手段に用いられる破断構造が設けられたシートに関するものである。
【背景技術】
【０００２】
従来、菓子類、医薬品、各種雑貨等を販売するに際しては、これらを板紙製の箱や樹脂製の袋に入れて販売形態とすることが一般的である。このうち箱に入れた形態では、内容物を取り出すときの開封手段として、所定の箇所に設けた破断線の部分を破断するか帯状に除去するようにしたものが多く利用されている。
【０００３】
このような開封手段を構成する破断構造としては、Ｙ字状の切込みやが連続形成されたものや、先がくの字状に曲がった切込みが連続したものが用いられており、さらには、くの字状切込みを二列に並べた帯状のジッパーからなるものも広く利用されている。また、板紙の表裏から平行なハーフカット線を設けておき、その間を帯状に層間剥離させて開封するようにしたものも知られている。
【０００４】
【特許文献１】登録実用新案第３０３７２４４号公報
【特許文献２】特開２００７−２５３９８４号公報
【特許文献３】特開平１１−１７１１７３号公報
【特許文献４】特開２００６−８９０７０号公報
【発明の開示】
【発明が解決しようとする課題】
【０００５】
上記したＹ字状やくの字状の切込みが連続した破断構造を用いた場合、切れ跡にギザギザかできるので見栄えが悪く、内容物の取出し時に楔形の部分に手が当たってチクチクするという問題がある。また、表裏から平行なハーフカット線を設け、その間を帯状に層間剥離させて開封する破断構造を用いたものでは、抜き型で裏側からハーフカットを入れる工程が難しく、場合によっては表裏２度抜きを行う必要があり、開封時における力の入れ具合によってはハーフカット線からずれを起こして帯状に開封できないことが起きてしまう。また、層間剥離による開封後に端面が薄くなるので、手を切る可能性が高くなるという問題もある。
【０００６】
本発明は、このような問題点に鑑みてなされたものであり、その目的とするところは、形成工程が簡単である上に、切れ跡がきれいであり、しかも安全性にも優れた破断構造を有するシートを提供し、併せてそれにより製造した紙箱を提供することにある。
【課題を解決するための手段】
【０００７】
上記の目的を達成するため、本発明に係る破断構造付きシートは、全切れ部分と半切れ部分が、同一ライン上に交互に連続して形成された破断構造を有することを特徴としている。
【０００８】
また、本発明の箱は、上記の破断構造付きシートにより製造した箱であって、破断構造を開封手段に用いたことを特徴とする。
【発明の効果】
【０００９】
本発明の破断構造付きシートは、全切れ部分と半切れ部分が交互に形成されたラインを境としてその両側に反対向きの力を加えると、半切れ部分が次々と破断されてラインのところで分断されるので、切れ跡にギザギザが生じるようなことがなく、ラインに沿ってきれいに破断されることから、破断された端面で手を切ることが低減される。
【発明を実施するための最良の形態】
【００１０】
次に、本発明の実施の形態について図面を参照しながら詳細に説明する。
【００１１】
図１は本発明に係る破断構造付きシートの一例を示す主要部分の平面図、図２は同じくその背面図、図３は図１のＡ−Ａ或いは図２のＢ−Ｂを通る断面図である。
【００１２】
図１〜３に示すシートＳは、紙器用板紙であり、一方の面には図１のように連続的なハーフカット線ａが形成され、他方の面には図２のようにその連続的なハーフカット線ａと重なるようにして断続的なハーフカット線ｂが形成されており、一方の面からは通常の全切れのストレートカットが見え、他方の面からはミシン刃のような不連続なカットが見える状態になっている。したがって、この板紙は、表裏から重なるように設けられたこれらの連続的なハーフカット線ａと断続的なハーフカット線ｂとにより、図３に示すように、全切れ部分１とつなぎｃを残した半切れ部分２が同一ライン上に交互に連続して形成された破断構造を有している。
【００１３】
この破断構造を設けたシートＳは、全切れ部分１と半切れ部分２が交互に形成されたラインを境としてその両側に反対向きの力を加えると、半切れ部分２が次々と破断されてラインのところで分断される。すなわち、半切れ部分２のつなぎｃのところがせん断力により破断されるので、切れ跡にギザギザが生じるようなことがなく、ラインに沿ってきれいに破断される。その際の破断強度は、半切れ部分２のつなぎｃの寸法、ピッチ等で管理することができる。
【００１４】
破断構造を形成する連続的なハーフカット線ａと断続的なハーフカット線ｂは、全切れ部分１と半切れ部分２が同一ライン上に位置するように形成するが、ここでいう同一ライン上とは、紙面に対して直角な面上に正確に位置することはもちろん、多少のずれがある場合も含むものである。また、全切れ部分１と半切れ部分２は長さが違っていても交互にあればよく、途中につなぎ（全切れでも半切れでもない全残り部分）が少しあっても構わない。
【００１５】
次に、このような破断構造付きシートを使用した紙箱であって、シートの破断構造を開封手段に用いた紙箱の応用例を挙げる。
【００１６】
図４（ａ）に示す紙箱１０は、チョコレート等の菓子類を入れて販売する横置き式の紙箱であり、前面パネル１１から天面パネル１２にかけて２本の破断線αを設け、前面パネル１１の摘み部分１１ａを引っ張り上げて天面パネル１２を大きく開封するタイプである。この紙箱１０は、上記した破断構造付きシートＳにより製造されており、箱を組み立てるブランクは、２本の破断線αをそれぞれ、全切れ部分とつなぎを残した半切れ部分が同一ライン上で交互に連続する破断構造となるように設計してある。
【００１７】
このように紙箱１０は破断構造を開封手段に用いているので、図４（ｂ）に示すように、摘み部分１１ａを引っ張り上げて天面パネル１２に開口を形成して開封すると、開口部分にギザギザを生じることなく開けることができ、見栄えが良くなるとともに開口の縁で手を切ることが低減される。
【００１８】
図５（ａ）に示す紙箱２０は、スナック菓子等の菓子類を入れて販売する縦型の紙箱であり、前面パネル２１の上部に設けた横向きのジッパー２１ａを取り去り、天面パネル２２とその周囲に繋がる前面パネル２１、各側面パネル２３及び背面パネル２４により構成される箱状部分を蓋として後方に回動させて開封するタイプである。この紙箱２０は、上記した破断構造付きシートＳにより製造されており、箱を組み立てるブランクは、ジッパー２１ａを区画する２本の破断線αをそれぞれ、全切れ部分とつなぎを残した半切れ部分とが交互に連続する破断構造となるように設計してある。
【００１９】
このように紙箱２０は破断構造を開封手段に用いているので、図５（ｂ）に示すように、ジッパー２１ａの端部を摘んで前面パネル２１の左右方向に引っ張ることで除去し、上部の箱状部分を後側に倒して開封すると、ジッパー２１ａを除去した端縁にギザギザを生じることなく開けることができ、開封部端縁の見栄えが良くなるとともに開封部の縁で手を切ることが低減される。
【００２０】
図６（ａ）に示す紙箱３０は、スナック菓子等の菓子類を入れて販売する縦型の紙箱であり、前面パネル３１、各側面パネル３２及び背面パネル３３の上部を周回するジッパー３４を取り去り、天面パネル３５とその周囲に繋がる前面パネル３１、各側面パネル３２及び背面パネル３３により構成される箱状部分を除去して開封するタイプである。この紙箱３０は、上記した破断構造付きシートＳにより製造されており、箱を組み立てるブランクは、ジッパー３４を区画する２本の破断線αをそれぞれ、全切れ部分とつなぎを残した半切れ部分とが交互に連続する破断構造となるように設計してある。
【００２１】
このように紙箱３０は破断構造を開封手段に用いているので、図６（ｂ）に示すように、ジッパー３４の端部を摘んで胴部を周回するように引っ張ることで除去し、上部の箱状部分を取り外して開封すると、ジッパー３４を除去した端縁にギザギザを生じることなく開けることができ、開封部端縁の見栄えが良くなるとともに開封部の縁で手を切ることが低減される。
【００２２】
図７に示す紙箱４０は、各種医療品やドリンク剤などを箱詰めして供給する直方体形状の紙箱であり、前面パネル４１、各側面パネル４２及び背面パネル４３を周回するジッパー４４を取り去り、天面パネル４５とその周囲に繋がる前面パネル４１、各側面パネル４２及び背面パネル４３により構成される箱状部分を除去して開封するタイプである。この紙箱４０は、上記した破断構造付きシートＳにより製造されており、箱を組み立てるブランクは、ジッパー４４を区画する２本の破断線αをそれぞれ、全切れ部分とつなぎを残した半切れ部分とが交互に連続する破断構造となるように設計してある。また、図示の紙箱４０では、胴部の貼合せ部分においてジッパー４４の端に互いに噛み合う形状の突出部分４４ａ，４４ｂを設けてあり、突出部分４４ａ，４４ｂのいずれかを摘むことによって左右どちら側からでも開封可能である。
【００２３】
このように紙箱４０は破断構造を開封手段に用いているので、ジッパー４４の端部にある突出部分４４ａ，４４ｂのいずれかを摘んでその係合を解き、そのまま胴部を周回するように引っ張ることで除去し、上半の箱状部分を取り外して開封すると、ジッパー４４を除去した端縁にギザギザを生じることなく開けることができ、開封部端縁の見栄えが良くなるとともに開封部の縁で手を切ることが低減される。
【００２４】
以上、４つの紙箱を例に挙げて本発明による破断構造付きシートの応用例を説明したが、このような紙箱に限るものではなく、シートを破断する必要のある任意の部位に適用することができる。また、シートの素材は板紙に限るものではなく、プラスチック、紙とプラスチックの複合材料、段ボール等でも使用可能である。
【図面の簡単な説明】
【００２５】
【図１】本発明に係る破断構造付きシートの一例を示す主要部分の平面図である。
【図２】本発明に係る破断構造付きシートの一例を示す主要部分の背面図である。
【図３】図１のＡ−Ａ或いは図２のＢ−Ｂを通る断面図である。
【図４】本発明の破断構造付きシートを用いた紙箱の一例を示す説明図である。
【図５】本発明の破断構造付きシートを用いた紙箱の一例を示す説明図である。
【図６】本発明の破断構造付きシートを用いた紙箱の一例を示す説明図である。
【図７】本発明の破断構造付きシートを用いた紙箱の一例を示す説明図である。
【符号の説明】
【００２６】
Ｓ  破断構造付きシート
ａ  （連続的な）ハーフカット線
ｂ  （断続的な）ハーフカット線
ｃ  つなぎ
α  破断線
１  全切れ部分
２  半切れ部分
１０  紙箱
１１  前面パネル
１１ａ  摘み部分
１２  天面パネル
２０  紙箱
２１  前面パネル
２１ａ  ジッパー
２２  天面パネル
２３  側面パネル
２４  背面パネル
３０  紙箱
３１  前面パネル
３２  側面パネル
３３  背面パネル
３４  ジッパー
３４  天面パネル
４０  紙箱
４１  前面パネル
４２  側面パネル
４３  背面パネル
４４  ジッパー
４４ａ，４４ｂ  突出部分
４５  天面パネル
【図１】
2009132398.tif 000003
【図２】
2009132398.tif 000004
【図３】
2009132398.tif 000005
【図４】
2009132398.tif 000006
【図５】
2009132398.tif 000007
【図６】
2009132398.tif 000008
【図７】
2009132398.tif 000009